【手続補正書】
【提出日】平成27年2月2日(2015.2.2)
【手続補正１】
【補正対象書類名】特許請求の範囲
【補正対象項目名】全文
【補正方法】変更
【補正の内容】
【特許請求の範囲】
【請求項１】
複数のページから構成される印刷物を印刷させる情報処理装置であって、
前記複数のページのうち、１つのページを選択する選択手段と、
前記選択されたページに関する用紙を、給紙部から指定するか、用紙の種類から指定するかの設定を受け付ける受付手段と、
前記受付手段において、
前記用紙を給紙部から指定すると設定された場合に、ユーザから指定された給紙部にて給紙する用紙の種類が所定の種類の用紙である場合には、当該所定の種類の用紙の詳細情報を設定するための画面を表示し、
前記用紙を用紙の種類から指定すると設定された場合に、ユーザから指定された用紙の種類が所定の種類の用紙である場合には、当該指定された所定の用紙の種類を給紙する給紙部と当該指定された所定の種類の用紙の詳細情報とを設定するための画面を表示する表示制御手段と
を有することを特徴とする情報処理装置。
【請求項２】
前記複数のページそれぞれに対して、前記複数の種類の用紙のうちのいずれの種類の用紙にて印刷するかの設定を受け付ける設定手段を更に有することを特徴とする請求項１に記載の情報処理装置。
【請求項３】
印刷装置が有する複数の給紙部と、前記複数の給紙部それぞれにて給紙される前記所定の用紙の種類の詳細情報とを対応付けて保持するテーブルを有することを特徴とする請求項１または２に記載の情報処理装置。
【請求項４】
前記表示制御手段は、
前記受付手段にて前記用紙を給紙部から指定すると設定され、前記所定の種類の用紙を給紙する給紙部が指定された場合、前記テーブルから、当該指定された給紙部にて給紙できる所定の用紙の詳細情報を取得し、初期設定として前記画面に表示し、
前記受付手段にて前記用紙を用紙の種類から指定すると設定され、前記所定の種類の用紙が指定された場合、前記テーブルから、前記所定の種類の用紙を給紙できる給紙部および前記所定の種類の用紙の詳細情報を取得し、初期設定として前記画面に表示することを特徴とする請求項３に記載の情報処理装置。
【請求項５】
前記表示制御手段は、前記所定の種類の用紙を給紙する給紙部が指定された後、当該給紙部が給紙する前記所定の種類の用紙の詳細情報の変更が指示された場合、確認メッセージを表示し、
当該確認メッセージに対する許可を受け付けた場合に、前記テーブルが保持する詳細情報を更新することを特徴とする請求項４に記載の情報処理装置。
【請求項６】
前記複数のページそれぞれに対して設定された用紙の種類において、同一の給紙部から異なる種類の用紙を給紙するように設定された場合、当該給紙部が給紙できる用紙の種類の情報を取得し、当該取得した用紙の種類の情報に従って、前記複数のページそれぞれに設定された用紙の種類を変更する変更手段を更に有することを特徴とする請求項１乃至５のいずれか一項に記載の情報処理装置。
【請求項７】
前記所定の用紙の種類は、インデックスタブを有するインデックス紙であることを特徴とする請求項１乃至６のいずれか一項に記載の情報処理装置。
【請求項８】
前記インデックス紙に対して設定される詳細情報は、給紙される給紙部、インデックス紙の種類、インデックスタブの数、インデックスタブに対する印刷設定のうちの少なくとも一つであることを特徴とする請求項７に記載の情報処理装置。
【請求項９】
前記インデックス紙は、複数枚で１のグループを構成し、
前記表示制御手段は、前記印刷物を構成する複数のページのうち、前記インデックス紙に印刷されるページを表示する際に、当該ページが印刷されるインデックス紙のグループの識別情報、および当該グループにおけるインデックス紙の順序の情報を表示することを特徴とする請求項７または８に記載の情報処理装置。
【請求項１０】
複数のページから構成される印刷物を印刷させる情報処理装置における情報処理方法であって、
前記複数のページのうち、１つのページを選択する選択工程と、
前記選択されたページに関する用紙を、給紙部から指定するか、用紙の種類から指定するかの設定を受け付ける受付工程と、
前記受付工程にて、
前記用紙を給紙部から指定すると設定された場合に、ユーザから指定された給紙部にて給紙する用紙の種類が所定の種類の用紙である場合には、当該所定の種類の用紙の詳細情報を設定するための画面を表示し、
前記用紙を用紙の種類から指定すると設定された場合に、ユーザから指定された用紙の種類が所定の種類の用紙である場合には、当該指定された所定の用紙の種類を給紙する給紙部と当該指定された所定の種類の用紙の詳細情報とを設定するための画面を表示する表示制御工程と
を有することを特徴とする情報処理方法。
【請求項１１】
コンピュータを、
印刷物を構成する複数のページのうち、１つのページを選択する選択手段、
前記選択されたページに関する用紙を、給紙部から指定するか、用紙の種類から指定するかの設定を受け付ける受付手段、
前記受付手段において、
前記用紙を給紙部から指定すると設定された場合に、ユーザから指定された給紙部にて給紙する用紙の種類が所定の種類の用紙である場合には、当該所定の種類の用紙の詳細情報を設定するための画面を表示し、
前記用紙を用紙の種類から指定すると設定された場合に、ユーザから指定された用紙の種類が所定の種類の用紙である場合には、当該指定された所定の用紙の種類を給紙する給紙部と当該指定された所定の種類の用紙の詳細情報とを設定するための画面を表示する表示制御手段
として機能させるためのプログラム。
【請求項１２】
前記複数のページそれぞれに対して、前記複数の種類の用紙のうちのいずれの種類の用紙にて印刷するかの設定を受け付ける設定手段として更に機能させることを特徴とする請求項１１に記載のプログラム。
【請求項１３】
印刷装置が有する複数の給紙部と、前記複数の給紙部それぞれにて給紙される前記所定の用紙の種類の詳細情報とを対応付けて保持するテーブルを有することを特徴とする請求項１１または１２に記載のプログラム。
【請求項１４】
前記表示制御手段は、
前記受付手段にて前記用紙を給紙部から指定すると設定され、前記所定の種類の用紙を給紙する給紙部が指定された場合、前記テーブルから、当該指定された給紙部にて給紙できる所定の用紙の詳細情報を取得し、初期設定として前記画面に表示し、
前記受付手段にて前記用紙を用紙の種類から指定すると設定され、前記所定の種類の用紙が指定された場合、前記テーブルから、前記所定の種類の用紙を給紙できる給紙部および前記所定の種類の用紙の詳細情報を取得し、初期設定として前記画面に表示することを特徴とする請求項１３に記載のプログラム。
【請求項１５】
前記表示制御手段は、前記所定の種類の用紙を給紙する給紙部が指定された後、当該給紙部が給紙する前記所定の種類の用紙の詳細情報の変更が指示された場合、確認メッセージを表示し、
当該確認メッセージに対する許可を受け付けた場合に、前記テーブルが保持する詳細情報を更新することを特徴とする請求項１４に記載のプログラム。
【請求項１６】
前記複数のページそれぞれに対して設定された用紙の種類において、同一の給紙部から異なる種類の用紙を給紙するように設定された場合、当該給紙部が給紙できる用紙の種類の情報を取得し、当該取得した用紙の種類の情報に従って、前記複数のページそれぞれに設定された用紙の種類を変更する変更手段として更に機能させることを特徴とする請求項１１乃至１５のいずれか一項に記載のプログラム。
【請求項１７】
前記所定の用紙の種類は、インデックスタブを有するインデックス紙であることを特徴とする請求項１１乃至１６のいずれか一項に記載のプログラム。
【請求項１８】
前記インデックス紙に対して設定される詳細情報は、給紙される給紙部、インデックス紙の種類、インデックスタブの数、インデックスタブに対する印刷設定のうちの少なくとも一つであることを特徴とする請求項１７に記載のプログラム。
【請求項１９】
前記インデックス紙は、複数枚で１のグループを構成し、
前記表示制御手段は、前記印刷物を構成する複数のページのうち、前記インデックス紙に印刷されるページを表示する際に、当該ページが印刷されるインデックス紙のグループの識別情報、および当該グループにおけるインデックス紙の順序の情報を表示することを特徴とする請求項１７または１８に記載のプログラム。
【手続補正２】
【補正対象書類名】明細書
【補正対象項目名】０００８
【補正方法】変更
【補正の内容】
【０００８】
上記課題を解決するために、本願発明は以下の構成を有する。すなわち、複数のページから構成される印刷物を印刷させる情報処理装置であって、前記複数のページのうち、１つのページを選択する選択手段と、前記選択されたページに関する用紙を、給紙部から指定するか、用紙の種類から指定するかの設定を受け付ける受付手段と、前記受付手段において、前記用紙を給紙部から指定すると設定された場合に、ユーザから指定された給紙部にて給紙する用紙の種類が所定の種類の用紙である場合には、当該所定の種類の用紙の詳細情報を設定するための画面を表示し、前記用紙を用紙の種類から指定すると設定された場合に、ユーザから指定された用紙の種類が所定の種類の用紙である場合には、当該指定された所定の用紙の種類を給紙する給紙部と当該指定された所定の種類の用紙の詳細情報とを設定するための画面を表示する表示制御手段とを有する。